(57)【要約】      （修正有）【課題】収納凹部に収納された隣接する果実同士の蔕の接触を回避するとともに、収納凹部に簡単に果実を収納し、蔕とともにこれを保持することができる果実用トレーを提供する。【解決手段】蔕ｐを有した果実Ｆを収納するための収納凹部１２が形成された果実用トレーである。収納凹部１２を形成する収納壁部１３には、果実Ｆの蔕ｐの先端ｐｔを押し当てた押し当て力により、収納壁部１３に蔕ｐが貫通する貫通孔Ｈを穿設可能な穿設用壁部１６ａが形成されている。【選択図】図４
0003183557.tif 000002
【実用新案登録請求の範囲】
【請求項１】
蔕を有した果実を収納するための収納凹部が形成された果実用トレーであって、
前記収納凹部を形成する収納壁部には、前記果実の蔕の先端を押し当てた押し当て力により、前記収納壁部に前記蔕が貫通する貫通孔を穿設するための穿設用壁部が形成されていることを特徴とする果実用トレー。
【請求項２】
前記穿設用壁部の肉厚は、他の収納壁部の肉厚よりも薄いことを特徴とする請求項１に記載の果実用トレー。
【請求項３】
収納凹部には、前記蔕を収納するための蔕収納凹部が形成されており、前記穿設用壁部により前記蔕収納凹部の少なくとも一部が形成されていることを特徴とする請求項１または２に記載の果実用トレー。
【請求項４】
前記収納凹部の開口の一部に、前記蔕収納凹部が形成されていることを特徴とする請求項３に記載の果実用トレー。
【考案の詳細な説明】
【技術分野】
【０００１】
本考案は、蔕を有した果実の収穫、選別、出荷、輸送等に好適な、果実を収納する果実用トレーに関するものである。
【背景技術】
【０００２】
従来から、各種の果実の収穫、選別、出荷、輸送用においては、果実の取り扱いを容易にするとともに、果実同士の接触や他物との接触による損傷を防止し保護する目的で、合成樹脂発泡シートやパルプモールド等の適度の弾力性を有する素材を用いて、果実を個装状態に収納保持できる複数の収納凹部を形成した果実用トレーが使用されている。
【０００３】
ところで、梨やリンゴ等の果実の場合、収穫時に蔕「へた」を残して切り取られることが多い。蔕とは、切り取られた果実に残っている突出した軸（突起部）をいう。このような蔕を有した果実を、果実用トレーの収納凹部に収納した際には、収納凹部の開口部側から飛び出した蔕が、外力により折れ曲がったり、隣接する果実に接触したりすることもあり、隣接する果実を傷つけてしまうことがある。特に、洋梨の場合には、縦長の形状をなすため、横に寝かせて収納することが多く、蔕の先端が横に向かって飛び出すことになり、隣接する果実を傷つけ易い。
【０００４】
このような点を鑑みて、果実用トレーの一例として、収納凹部において果実の蔕が位置すると想定される部分に、果実の蔕が通り抜ける貫通孔が形成された果実用トレー（たとえば、特許文献１参照）や、その部分に果実の蔕が通り抜けるための切り片（切り込み）が形成された果実用トレー（たとえば、特許文献２参照）などが提案されている。
【０００５】
これらの果実用トレーによれば、収納凹部に貫通孔や切り込みを設けることにより、果実をトレーに収納した状態で、蔕が貫通孔や切り込みに入り込むので、収納凹部の開口部側からの蔕の飛び出しを防止することができる。
【先行技術文献】
【特許文献】
【０００６】
【特許文献１】特開平８−２５８８７１号公報
【特許文献２】特開２００２−１６９７号公報
【考案の概要】
【考案が解決しようとする課題】
【０００７】
しかなしながら、特許文献１および２において提案されている果実用トレーでは、収納凹部において果実の蔕が位置すると想定される部分に、貫通孔や切り込みが形成されているため、これらの貫通孔や切り込みに蔕が位置するように、正確に果実を収納凹部に収納しなければならなかった。
【０００８】
このことを解消するために、貫通孔や切り込みの大きさをより大きくすることも考えられるが、この場合には、果実を収納凹部に収納した状態で、通り抜けた蔕の遊び代が大きくなってしまい、蔕がトレーにほとんど拘束されない状態となってしまう。
【０００９】
本考案は、このような点を鑑みてなされたものであり、その目的とするところは、収納凹部に収納された隣接する果実同士の蔕の接触を回避するとともに、収納凹部に簡単に果実を収納し、蔕とともにこれを保持することができる果実用トレーを提供することにある。
【課題を解決するための手段】
【００１０】
前記課題を解決すべく、本考案に係る果実用トレーは、蔕を有した果実を収納するための収納凹部が形成された果実用トレーであって、前記収納凹部を形成する収納壁部には、前記果実の蔕の先端を押し当てた押し当て力により、前記収納壁部に前記蔕が貫通する貫通孔を穿設するための穿設用壁部が形成されていることを特徴とする。
【００１１】
本考案によれば、蔕を有した果実を収納凹部に収納する際に、穿設用壁部の任意の位置に、果実の蔕の先端を押し当て、蔕の先端と穿設用壁部との間に作用する押し当て力により、蔕で穿設用壁部を穿刺し、蔕の断面形状に応じた貫通孔を前記任意の位置に穿設することができる。すなわち、本考案によれば、収納する各果実の蔕の形状に合わせて、穿設用壁部の任意の位置に貫通孔を果実収納時に穿設し、貫通孔に蔕を貫通させることができる。
【００１２】
このような結果、これまでの如く、果実の蔕の位置あわせの精度を要することなく、果実を簡単に収納することができる。さらに、蔕の先端により穿設された貫通孔は、収納される果実ごとの蔕の断面形状に応じた形状となるため、貫通孔に蔕を拘束（嵌合）させ、蔕とともに果実本体を果実用トレーの収納凹部に保持することができる。さらに、従来の果実用トレーの如く、貫通孔や切れ込みを形成する必要がないので、より安価かつ簡単に果実用トレーを製造することができる。
【００１３】
より好ましい態様としては、穿設用壁部の肉厚は、他の収納壁部の肉厚よりも薄い。この態様によれば、穿設用壁部の肉厚は、他の収納壁部の肉厚よりも薄いので、果実収納時に、果実の蔕の先端で穿設用壁部に容易に貫通孔を穿設することができる。さらに、穿設用壁部以外の他の収納壁部の肉厚は、穿設用壁部の肉厚よりも肉厚が厚いので、収納凹部に収納された果実本体を好適に保護することができる。
【００１４】
さらに好ましい態様としては、収納凹部には、前記蔕を収納するための蔕収納凹部が形成されており、前記穿設用壁部により前記蔕収納凹部の少なくとも一部が形成されている。この態様によれば、収納凹部に蔕収納凹部を形成するので、収納凹部に果実本体を収納後、蔕収納凹部に形成された空間を利用して、果実の蔕の先端で穿設用壁部に貫通孔を容易に穿設することができる。
【００１５】
さらに好ましい態様としては、前記収納凹部の開口の一部に、前記蔕収納凹部が形成されている。この態様によれば、蔕収納凹部の開口が、収納凹部の開口の一部となっているので、収納凹部に果実本体を収納後、収納凹部の開口から果実の蔕を把持して、その先端で穿設用壁部に貫通孔を容易に穿設することができる。
【考案の効果】
【００１６】
本考案によれば、収納凹部に収納された隣接する果実同士の蔕の接触を回避するとともに、収納凹部に簡単に果実を収納し、蔕とともにこれを果実用トレーに保持する。
【図面の簡単な説明】
【００１７】
【図１】本考案の実施形態に係る果実用トレーの模式的平面図。
【図２】（ａ）は、図１に示す果実用トレーの収納凹部の平面図であり、（ｂ）は、（ａ）のＡ−Ａ線矢視断面図。
【図３】図１に示す果実用トレーに、果実の蔕を穿刺する作業を説明するための図であり、（ａ）は、果実の蔕を穿刺する前の状態を説明するための図であり、（ｂ）は、果実の蔕を穿刺した後の状態を説明するための図。
【図４】図２（ｂ）に示す果実用トレーの収納凹部に果実を収納した状態を説明するための図。
【図５】図１に示す果実用トレーの変形例であり、（ａ）は、果実用トレーの収納凹部の平面図であり、（ｂ）は、（ａ）に示す果実用トレーの収納凹部に果実を収納した状態を説明するための図。
【図６】図１に示す果実用トレーのさらなる変形例であり、（ａ）は、果実用トレーの収納凹部の平面図であり、（ｂ）は、（ａ）に示す果実用トレーの収納凹部に果実を収納した状態を説明するための図。
【考案を実施するための形態】
【００１８】
以下に、本考案の実施の形態を図面を参照しながら説明する。
図１は、本考案の実施形態に係る果実用トレーの模式的平面図であり、図２は、（ａ）は、図１に示す果実用トレーの収納凹部の平面図であり、（ｂ）は、（ａ）のＡ−Ａ線矢視断面図である。
【００１９】
図３は、図１に示す果実用トレーに、果実の蔕を穿刺する作業を説明するための図であり、（ａ）は、果実の蔕を穿刺する前の状態を説明するための図であり、（ｂ）は、果実の蔕を穿刺した後の状態を説明するための図である。図４は、図２（ｂ）に示す果実用トレーの収納凹部に果実を収納した状態を説明するための図である。
【００２０】
本実施形態に係る果実用トレー１は、洋梨などの果実本体ｂに蔕ｐを有した果実Ｆを被梱包物として複数収納するためのトレーである（図４参照）。果実用トレー１の構成素材としては、たとえば熱可塑性の合成樹脂発泡シートが用いられる。合成樹脂発泡シートの素材としては、剛性と柔軟性のバランスがよく緩衝性に優れ、かつ強度があって保形、復元性、成形性にも優れ、さらに、後述するように果実の蔕により壁面に貫通孔を形成することができる材質として、ポリスチレン系樹脂を好適に使用できる。
【００２１】
このポリスチレン系樹脂は、スチレン単独重合体のほか、少なくとも５０重量％のスチレンと他の共重合可能な単量体との共重合物、或いは少なくとも５０重量％のポリスチレンと他の樹脂との混合物を意味する。また発泡シートは、ポリスチレン系樹脂の発泡シートの単層シートまたはポリスチレン系樹脂発泡シートに熱可塑性樹脂発泡シートを積層したシートでもよい。
【００２２】
果実用トレー１を成形する前の合成樹脂発泡シートの厚みは、使用素材によっても異なるが、ポリスチレン系樹脂発泡シートの場合、１〜８ｍｍ程度、好ましくは１．５〜５ｍｍ程度である。なお、成形後における果実用トレー１の肉厚に関しては後述する。また、密度が０．０８〜０．０３ｇ／ｃｍ３程度に発泡しているものが好ましい。
【００２３】
発泡シートの厚みを前記範囲にすることにより、充分な支持強度が得られ、発泡シートからの成形が容易になる。また、発泡による密度を、前記範囲にすることにより、充分な緩衝性が得られ果実を収納する十分な強度が得られる。果実用トレー１は、適度の弾力性及び保形性を有する上述した熱可塑性の合成樹脂発泡シートから真空成形、圧空成形等の熱成形加工の手段により一体に成形されてなる。
【００２４】
図１に示すように、果実用トレー１には、トレー外周縁部１１と、トレー外周縁部１１の内方において所定の間隔で配列された複数の収納凹部１２，１２，…とが形成されている。トレー外周縁部１１の高さは、後述する収納凹部１２を形成する収納壁部１３の頂部と略同じ高さから高くなる範囲で任意に設定してもよい。これにより、トレー外周縁部１１から、収納壁部１３が飛び出した形状とならないので、収納壁部１３が押し潰されにくくなり、収納壁部１３を保護することができる。
【００２５】
図２（ａ）および（ｂ）に示すように、収納凹部１２は、果実を収納するための収納壁部１３により形成されている。収納壁部１３は、収納すべき果実の形状に応じて湾曲しており、収納凹部１２の底部１２ａから上方に向かって広がるように傾斜している。収納壁部１３をこのような形状とすることにより、収納凹部１２に収納される果実を周囲から弾力的に保持することができる。
【００２６】
また、収納壁部１３には、収納壁部１３の部分が伸縮するように、収納凹部１２の底部１２ａから開口１２ｂに亘って４つの凹溝部１８，１８，…が形成されている。このように、凹溝部１８，１８，…を設けることにより、果実の通気性が確保されると共に、収納壁部１３の部分の伸縮により、果実に対する緩衝効果を高めることができる。
【００２７】
本実施形態では、収納凹部１２は、果実Ｆの果実本体ｂを収納する空間が形成された果実収納凹部１５と、果実Ｆの蔕ｐを収納する空間が形成された蔕収納凹部１６からなる。果実収納凹部１５と蔕収納凹部１６とが形成する空間は連続した空間となっている。また、収納凹部１２の開口１２ｂの一部に、蔕収納凹部１６が形成されている。すなわち、蔕収納凹部１６の開口１６ｂは、果実収納凹部１５の開口１５ｂに連続して形成され、収納凹部１２の開口１２ｂの一部を構成している。なお、上述した凹溝部１８は、果実収納凹部１５を形成する収納壁部１３に設けられている。
【００２８】
ここで、果実収納凹部１５は、収納壁部１３の一部を構成する果実収納壁部１５ａにより形成されており、蔕収納凹部１６は、収納壁部１３の一部を構成する穿設用壁部１６ａを含む蔕収納壁部１６ｃにより形成されている。
【００２９】
より具体的には、穿設用壁部１６ａは、果実Ｆの蔕ｐの先端ｐｔを押し当てた押し当て力により、収納壁部１３に貫通孔Ｈを任意の位置で穿設することができる壁部となっている。本実施形態では、穿設用壁部１６ａは、果実収納凹部１５と対向する位置に形成されており、穿設用壁部１６ａは、他の収納壁部（具体的には果実収納凹部１５を形成する果実収納壁部１５ａ）の肉厚よりも薄くなっている。なお、果実用トレー１を成形時には、穿設用壁部１６ａには、蔕ｐを突き通すための貫通孔や切り込みは形成されていない。
【００３０】
ここで、果実収納凹部１５を形成する果実収納壁部１５ａの肉厚は、１．５ｍｍ〜４ｍｍの範囲にあることが好ましく、穿設用壁部１６ａの肉厚は、果実収納壁部１５ａの肉厚よりも薄いことを前提に、０．５ｍｍ〜１．５ｍｍの範囲にあることが好ましい。
【００３１】
ここで、果実収納壁部１５ａの肉厚が１．５ｍｍ未満の場合には、果実Ｆを収納した状態での果実用トレー１の剛性が十分でないことがある。また、果実収納壁部１５ａの肉厚が４ｍｍを超えた場合には、果実用トレー１の製造コストが大きくなってしまう。一方、穿設用壁部１６ａの肉厚が０．５ｍｍ未満の場合には、後述する貫通孔Ｈを貫通した蔕ｐを保持するのに強度が十分でないことがある。また、穿設用壁部１６ａの肉厚が１．５ｍｍを超えた場合には、後述するように、穿設用壁部１６ａの任意の位置で、蔕ｐにより貫通孔Ｈを穿設し難くなることがある。
【００３２】
さらに、蔕収納凹部１６の幅は、５ｍｍ以上にすることが好ましい。これにより、穿設用壁部１６ａへの蔕ｐを突き刺す位置が明確となり果実収納の作業性を高めることができる。
【００３３】
このように、構成された果実用トレー１を用いて、果実本体ｂに蔕ｐを有した果実Ｆを収納する。具体的には、果実Ｆを横向きの姿勢で（蔕ｐが横に向くように）、収納凹部１２の果実収納凹部１５に果実本体ｂを収納する。
【００３４】
次に、収納凹部１２の開口１２ｂから果実Ｆの蔕ｐを把持して、その先端ｐｔで穿設用壁部１６ａに貫通孔Ｈを穿設する。具体的には、図３に示す方向ｄに、果実Ｆの蔕ｐの先端ｐｔを、穿設用壁部１６ａの任意の位置に押し当てる。これにより、蔕ｐの先端ｐｔと穿設用壁部１６ａとの間に作用する押し当て力により、図３に示すように、蔕ｐで穿設用壁部１６ａを穿刺し、蔕ｐの断面形状に応じた貫通孔Ｈを任意の位置に穿設することができる。
【００３５】
このような結果、図４に示すように、これまで貫通孔や切込みが予め形成されたトレーのように果実Ｆの蔕ｐの位置あわせの精度を要することなく、蔕ｐとともに果実Ｆを簡単に収納することができる。さらに、蔕ｐの先端ｐｔにより穿設された貫通孔Ｈは、収納する果実Ｆごとの蔕ｐの断面形状に応じた形状となるため、貫通孔Ｈに蔕ｐを拘束（嵌合）させ、蔕ｐとともに果実本体ｂを果実用トレー１の収納凹部１２に保持することができる。これにより、蔕ｐを有する果実Ｆを収納凹部１２内に安定して収納することができる。さらに、従来の果実用トレーの如く、貫通孔や切れ込みを形成する必要がないので、より安価かつ簡単に果実用トレー１を製造することができる。
【００３６】
特に、本実施形態では、穿設用壁部１６ａの肉厚は、他の収納壁部１３（果実収納壁部１５ａ）の肉厚よりも薄いので、果実収納時に、果実Ｆの蔕ｐの先端ｐｔで穿設用壁部１６ａに容易に貫通孔Ｈを穿設することができる。さらに、穿設用壁部１６ａ以外の他の収納壁部１３（果実収納壁部１５ａ）の肉厚は、穿設用壁部１６ａの肉厚よりも肉厚が厚いので、収納凹部１２に収納された果実本体ｂを好適に保護することができる。
【００３７】
また、収納凹部１２に蔕収納凹部１６を形成し、蔕収納凹部１６の開口１６ｂが、収納凹部の開口１２ｂの一部となっているので、収納凹部１２に果実本体ｂを収納後、蔕収納凹部１６に形成された空間を利用して果実Ｆの蔕ｐを簡単に把持し、先端ｐｔで穿設用壁部１６ａを穿刺し、貫通孔Ｈを容易に穿設することができる。
【００３８】
図５は、図１に示す果実用トレーの変形例であり、（ａ）は、果実用トレーの収納凹部の平面図であり、（ｂ）は、（ａ）に示す果実用トレーの収納凹部に果実を収納した状態を説明するための図である。
【００３９】
図５（ａ）、（ｂ）に示すように、この変形例では、図１に示す果実用トレー１の蔕収納凹部１６に比べて、蔕収納凹部１６Ａの開口１６ｂは大きく、さらにトレー下方に向かって延在している。すなわち、本実施形態では、果実Ｆの果実本体ｂを収納した状態で、果実Ｆの蔕ｐが下方に向くように、穿設用壁部１６ａと果実収納凹部１５が形成されている。このような結果、果実Ｆの蔕ｐがたとえ長い場合であっても、蔕ｐは下方に向かって穿設用壁部１６ａを貫通するので、蔕ｐの先端ｐｔがトレーに接触することを回避することができる。さらに、図１に示したものに比べて、穿設用壁部１６ａの領域をより広くすることができるので、より広範囲の任意の位置に貫通孔Ｈを穿設することができる。
【００４０】
図６は、図１に示す果実用トレーのさらなる変形例であり、（ａ）は、果実用トレーの収納凹部の平面図であり、（ｂ）は、（ａ）に示す果実用トレーの収納凹部に果実を収納した状態を説明するための図である。
【００４１】
さらに、図６（ａ）、（ｂ）に示すように、この変形例では、図１に示す蔕収納凹部１６が形成されず、収納凹部１２の果実収納壁部１５ａそのものに、穿設用壁部１６ａが形成されている。このような場合には、果実収納凹部１５に果実本体ｂを収納すると同時に、穿設用壁部１６ａに蔕ｐを押し当てて、貫通孔Ｈを形成することができる。
【００４２】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。
【産業上の利用可能性】
【００４３】
本考案の果実用トレーは、リンゴ、梨等の蔕を有した各種果実の収穫、選別、出荷、輸送等に用いる果実用トレー、特には果実収穫用として好適に利用できる。
【符号の説明】
【００４４】
１…果実用トレー、１１…トレー外周縁部、１２…収納凹部、１２ａ…底部、１２ｂ…開口、１３…収納壁部、１５…果実収納凹部、１５ａ…果実収納壁部、１５ｂ…開口、１６，１６Ａ…蔕収納凹部、１６ａ…穿設用壁部、１６ｂ…開口、１６ｃ…蔕収納壁部、１８…凹溝部、Ｆ…果実、ｂ…果実本体、ｐ…蔕、ｐｔ…先端、Ｈ…貫通孔
【図１】
0003183557.tif 000003
【図２】
0003183557.tif 000004
【図３】
0003183557.tif 000005
【図４】
0003183557.tif 000006
【図５】
0003183557.tif 000007
【図６】
0003183557.tif 000008